(57)【要約】【課題】簡単な構造で、確実に収容物の誤飲を防ぐ包装体を提供する。【解決手段】破断可能な蓋材シート４０が貼り付けられて、突出部３６ａの開口部が閉鎖されたＰＴＰシート３４が取り付けられた台紙１２から成る。台紙１２には、ＰＴＰシート３４が取り付けられる側面１６と、側面１６に折罫線３０で区切られて連続し、側面１６に折り返す覆い片２８を備える。覆い片２８は、突出部３６ａの開口部を塞いだ蓋材シート４０を覆う。側面１６と覆い片２８には、折り返した時に互いに一致する破断線２４，３２を各々有する。破断線２４，３２は、覆い片２８の端部の一部をその他の部分と区切る位置に設けられ、側面１６と覆い片２８は、破断線２４，３２と端部との間の部分で糊付けされている。【選択図】図１
2018002179.tif 000002
【特許請求の範囲】
【請求項１】
収容物を内側に収容した突出部と前記突出部の周囲に設けられたフランジ部を有するプラスチック成形体に、破断可能な蓋材シートが貼り付けられて前記突出部の開口部が閉鎖されたＰＴＰシートが取り付けられた台紙から成り、前記台紙には、前記ＰＴＰシートが取り付けられる側面と、前記側面に折罫線で区切られて連続し前記側面に折り返す覆い片が設けられ、前記覆い片は記突出部の開口部を塞いだ蓋材シートを覆い、前記側面と前記覆い片には、折り返した時に互いに一致する破断線が各々設けられ、前記破断線は、前記覆い片の端部の一部をその他の部分と区切る位置に設けられ、前記側面と前記覆い片は、前記破断線と、前記破断線で区切られた前記端部との間の部分で糊付けされていることを特徴とする包装体。
【請求項２】
前記側面と前記覆い片は互いに同形状であり、前記破断線は、前記折罫線とは反対側の端部の近傍に設けられ、前記折罫線に対して略平行に設けられている請求項１記載の包装体。
【請求項３】
前記側面は、前記ＰＴＰシートを挟んだ状態で重ねて保持する第１側面と第２側面が設けられ、前記第１側面と前記第２側面には、前記破断線が互いに重ねられた時に互いに一致する位置に各々設けられ、前記第１側面には、前記ＰＴＰシートの前記突出部が嵌合されて突出する透孔が設けられ、前記第２側面には、前記第１側面に重ねられた時に前記透孔に一致し前記ＰＴＰシートに収容された収容物が通過して取り出される押出用開口部が設けられ、前記覆い片は、前記第１側面または前記第２側面に前記折罫線で区切られて設けられ、前記第２側面に重ねられて糊付けされている請求項１記載の包装体。
【発明の詳細な説明】
【技術分野】
【０００１】
この発明は、ＰＴＰ（プレススルーパッケージ）シートに台紙を取り付けて包装した包装体に関する。
【背景技術】
【０００２】
従来、錠剤やカプセル等の薬剤を収容物とする包装技術としてＰＴＰシートがある。ＰＴＰシートは、合成樹脂で作られたプラスチック成形体を有し、プラスチック成形体には、薬剤を収容する突出部と、突出部の周縁部に形成されたフランジ部が一体に成形されている。フランジ部の、突出部と反対側の面にアルミ箔などの破断可能な蓋材シートが貼り付けられて突出部が閉鎖され、薬剤を密閉している。また、ＰＴＰシートに紙製等の台紙を取り付けて、取り扱いを容易にするとともに台紙に薬剤についての情報を印刷して、多くの情報を消費者に伝達可能にしたものがある
例えば、特許文献１に開示されている包装体は、台紙にはＰＴＰシートのフランジ部の突出部が突出する側の面に重ねられる第一側面と、第一側面に形成され突出部が挿通される孔部を有している。第一側面に折罫線を介して連続し、フランジ部の反対側の面に折り返される第二側面と、第二側面に形成され第一側面に折り重ねられた時に孔部に対向する位置に形成された押出用開口部を備えている。ＰＴＰシートに収容されている錠剤を取り出す時は、第一側面の孔部に位置する突出部を押し、蓋材シートが錠剤に押されて破断して、第二側面の押出用開口部から錠剤を出すものである。
【０００３】
特許文献２に開示されている包装体は、ＰＴＰシートの保持する第一側面と第二側面を有するとともに、第二側面に形成された透孔を覆う覆い片が設けられている。ＰＴＰシートに収容されている錠剤を取り出す時は、覆い片を開いた後、第一側面の孔部に位置する突出部を押し、蓋材シートが錠剤に押されて破断して、第二側面の透孔から錠剤を出すものである。
【先行技術文献】
【特許文献】
【０００４】
【特許文献１】特開２０１０−５１９３号公報
【特許文献２】特開２０１４−５０５５号公報
【発明の概要】
【発明が解決しようとする課題】
【０００５】
上記背景技術の特許文献１に開示された包装体の場合、簡単な操作で錠剤を取り出すことができるものであり、子供の誤飲を防ぐ機能は全く設けられていない。特許文献２に開示された包装体も、覆い片があるものの覆い片は容易に開閉可能であり、子どもの誤飲防止には特に対応しいないものである。
【０００６】
その他、子供の誤飲を防ぐ機能を有する包装体にはいろいろな種類があるが、シンプルな構造のものは誤飲を防ぐ機能が不十分であり、誤飲防止を確実にするために薬剤の取り出しを難しくすると、構造が複雑になりコストがかかるものであった。
【０００７】
この発明は、上記背景技術の問題点に鑑みてなされたものであり、簡単な構造で、確実に収容物の誤飲を防ぐ包装体を提供することを目的とする。
【課題を解決するための手段】
【０００８】
本発明は、収容物を内側に収容した突出部と前記突出部の周囲に設けられたフランジ部を有するプラスチック成形体に、破断可能な蓋材シートが貼り付けられて前記突出部の開口部が閉鎖されたＰＴＰシートが取り付けられた台紙から成り、前記台紙には、前記ＰＴＰシートが取り付けられる側面と、前記側面に折罫線で区切られて連続し前記側面に折り返す覆い片が設けられ、前記覆い片は記突出部の開口部を塞いだ蓋材シートを覆い、前記側面と前記覆い片には、折り返した時に互いに一致する破断線が各々設けられ、前記破断線は、前記覆い片の端部の一部をその他の部分と区切る位置に設けられ、前記側面と前記覆い片は、前記破断線と、前記破断線で区切られた前記端部との間の部分で糊付けされている包装体である。
【０００９】
また、前記側面と前記覆い片は互いに同形状であり、前記破断線は、前記折罫線とは反対側の端部の近傍に設けられ、前記折罫線に対して略平行に設けられている。
【００１０】
また、前記側面は、前記ＰＴＰシートを挟んだ状態で重ねて保持する第１側面と第２側面が設けられ、前記第１側面と前記第２側面には、前記破断線が互いに重ねられた時に互いに一致する位置に各々設けられ、前記第１側面には、前記ＰＴＰシートの前記突出部が嵌合されて突出する透孔が設けられ、前記第２側面には、前記第１側面に重ねられた時に前記透孔に一致し前記ＰＴＰシートに収容された収容物が通過して取り出される押出用開口部が設けられ、前記覆い片は、前記第１側面または前記第２側面に前記折罫線で区切られて設けられ、前記第２側面に重ねられて糊付けされている。
【発明の効果】
【００１１】
本発明の包装体は、簡単な構造で、確実に収容物の誤飲を防ぐことができる。破断線の破断に要する力は、台紙の強度等により適宜調整可能であり、子供には容易に切断することができないものに設定することができる。破断に際しては、正逆に折り曲げることにより、弱い力で切断することもできる。
【図面の簡単な説明】
【００１２】
【図１】この発明の一実施形態の包装体の第１側面から見た斜視図（ａ）と覆い片から見た斜視図（ｂ）である。
【図２】この実施形態の包装体の開封した状態を示す斜視図である。
【図３】この実施形態の包装体の台紙を表面側から見た展開図である。
【発明を実施するための形態】
【００１３】
以下、この発明の実施形態について図面に基づいて説明する。図１〜図３はこの発明の一実施形態を示すもので、この実施形態の包装体１０は、紙製等のブランクシートを打ち抜いて形成された台紙１２が設けられている。図３に示すように、台紙１２は、第１側面１４と第２側面１６が折罫線１８を介して設けられている。第１側面１４と第２側面１６は同形状であり、略正方形であり、各角部が曲線で面取りされている。
【００１４】
第１側面１４には、折罫線１８の近傍に、破断線２０が設けられている。破断線２０は、折罫線１８に対して平行な直線であり、第１側面１４の折罫線１８に交差する一対の端部に貫通している。第１側面１４の、中心よりも折罫線１８とは反対側の端部にわずかに近い位置に透孔２２が設けられている。透孔２２は、後述するＰＴＰシート３４の突出部３６ａが差し込まれる大きさの正円である。
【００１５】
第２側面１６には、折罫線１８の近傍に、折罫線１８で第１側面１４に折り重ねた時に破断線２０に重なる位置に、破断線２４が設けられている。破断線２４は、折罫線１８に対して平行な直線であり、第２側面１６の折罫線１８に交差する一対の端部に貫通している。また、透孔２２に対向する位置には、押出用開口部２６が設けられている。押出用開口部２６は、透孔２２と同じ大きさの正円である。
【００１６】
第２側面１６の、折罫線１８とは反対側の端部には、第２側面１６と同形の覆い片２８が折罫線３０で区切られて設けられている。覆い片２８には、折罫線３０と反対側の端部２８ａの近傍に、破断線３２が設けられている。破断線３２は、折罫線３０と端部２８ａに対して平行な直線であり、折罫線３０で第２側面１６に折り重ねた時に破断線２４に重なる位置に設けられている。
【００１７】
ここで、包装体１０に収容するＰＴＰシート３４について説明する。ＰＴＰシート３４は、プラスチック成形体３６が設けられ、プラスチック成形体３６には、収容物の薬剤である錠剤３８を収容する突出部３６ａと、突出部３６ａの周縁部のフランジ部３６ｂが設けられている。ここでは、１個の突出部３ａがフランジ部３６ｂの中心に設けられたものである。プラスチック成形体３６のフランジ部３６ｂには、突出部３６ａの突出方向と反対の面に薄いアルミ製の蓋材シート４０が貼り付けられ、突出部３６ａが閉鎖されている。
【００１８】
次に、包装体１０の組立方法について説明する。ここでは図３が台紙１２の表面を見たものであり、表面が凸になる折り方を正折り、そして裏面が凸になる折り方を逆折りと称する。まず、第１側面１４の裏面に、ＰＴＰシート３４のプラスチック成形体３６側の面を重ねて取り付ける。この時、透孔２２にＰＴＰシート３４の突出部３６ａを差し込む。そして、第１側面１４または第２側面１６の裏面の任意の位置に糊を塗布する。例えば、ＰＴＰシート３４の周囲を囲む位置である。さらに、第１側面１４又は第２側面１６の裏面の、折罫線１８と破断線２４の間の部分にも適宜糊を塗布する。そして、折罫線１８を正折りして、第１側面５６の裏面にＰＴＰシート３４を挟みながら第２側面１６を糊付けする。
【００１９】
次に、第２側面１６の表面の、折罫線１８と破断線２４の間の部分、または覆い片２８の表面の、端部２８ａと破断線３２の間の部分に糊を塗布する。そして、折罫線３０を逆折りして、第２側面１６の表面に覆い片２８を糊付けする。
【００２０】
これにより台紙１２は図１に示すように畳み状態となり、ＰＴＰシート３４を保持した状態となる。ＰＴＰシート３４の、プラスチック成形体３６の突出部３６ａの裏面には第２側面１６の押出用開口部２６が対向するが、覆い片２８により覆われ、ＰＴＰシート３４から錠剤３８を取り出すことできず、ロック状態となる。なお、破断線２０，２４，３２は互いに一致する。これでＰＴＰシート３４の、台紙１２の取り付けが完了し、包装体１０により包装される。
【００２１】
包装体１０から錠剤３８を取り出す時は、互いに一致した破断線２０，２４，３２を切断する。覆い片２８は、破断線３２と端部２８ａの間の部分で第２側面１６に糊付けされるため、第２側面１６との接続が解除され、折罫線３０で片持ち状態となり、図２に示すように、第２側面１６から開き、ロックが解除状態となる。これにより、第２側面１６の押出用開口部２６が開放され、錠剤３８の取り出しが可能となる。第２側面１６の押出用開口部２６には、ＰＴＰシート３４の蓋材シート４０が視認される。そして、第１側面１４の透孔２２に位置する突出部３６ａを押すことにより、蓋材シート４０が錠剤３８に押されて破断し、第２側面１６の押出用開口部２６から錠剤３８が取り出される。なお、破断線２０，２４，３２は、第１側面１４、第２側面１６、覆い片２８が３層になっているため、台紙１２の強度が高くて切断しにくいが、端部２８ａが位置する細長い部分を保持して正方向及び逆方向に何度か折り曲げることで破断線２０，２４，３２を弱めることができ、弱い力で切断することができる。
【００２２】
この実施形態の包装体１０によれば、簡単な構造で、確実に錠剤３８の誤飲を防ぐことができる。破断線２０，２４，３２は、台紙１２の強度により子供には容易に切断することができず、必要な時には正逆に折り曲げて弱い力で切断することができる。
【００２３】
なお、この発明の包装体は、上記実施形態に限定されるものではなく、台紙の形状や透孔の位置、組立工程、破断線の位置等、適宜変更可能である。台紙の、第１側面と、第２側面、覆い片が連接する順番は自由に変更可能である。第１側面と第２側面及び覆い片の貼り合わせは、ホットメルトその他ヒートシール剤を貼り合わせ面に設けて行えば良く、糊の種類や貼り合わせ方法は問わない。この他、収容する錠剤等の薬剤、その他収容物の数は、適宜変更可能であり、ＰＴＰシートの突出部の数に合わせて透孔の数を変更して対応することができる。ＰＴＰシートの素材は、いろいろなものに対応することができる。収容される錠剤は、薬剤に限らず他の商品でもよい。
【符号の説明】
【００２４】
１０  包装体
１２  台紙
１４  第１側面
１６  第２側面
１８，３０  折罫線
２０，２４，３２  破断線
２２  透孔
２６  押出用開口部
２８  覆い片
２８ａ  端部
３０  折罫線
３４  ＰＴＰシート
３６  プラスチック成形体
３６ａ  突出部
３６ｂ  フランジ部
３８  錠剤
４０  蓋材シート
【図１】
2018002179.tif 000003
【図２】
2018002179.tif 000004
【図３】
2018002179.tif 000005